【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
コンテンツを記録する記録装置において、
ユーザから指定されたキーワードによって、コンテンツ配信情報に含まれるコンテンツに関係付けられた情報を基に、コンテンツを選択する選択手段と、
コンテンツの内容に対する、前記ユーザの嗜好の度合いを示す嗜好値を用いて、選択された複数の前記コンテンツのそれぞれに対する前記ユーザの嗜好の度合いを示すスコアを算出する算出手段と、
算出された前記コンテンツの前記スコアの高い順に、所定の数の前記コンテンツの録画を予約するための情報を生成する生成手段と
を備えることを特徴とする記録装置。
【請求項２】
前記コンテンツ配信情報を受信する受信手段をさらに備え、
前記生成手段は、前記コンテンツ配信情報が更新されるごとに、前記コンテンツの録画を予約するための前記情報を生成する
ことを特徴とする請求項１に記載の記録装置。
【請求項３】
前記生成手段は、前記ユーザによって指定されたコンテンツの録画が予約されている場合、予め定められた所定の数から、前記ユーザによって指定され、録画が予約されたコンテンツの数を減算した数だけ、前記コンテンツの前記スコアの高い順に、前記選択手段によって選択された前記コンテンツの録画を予約するための前記情報を生成する
ことを特徴とする請求項１に記載の記録装置。
【請求項４】
ユーザから指定されたキーワードによって、コンテンツ配信情報に含まれるコンテンツに関係付けられた情報を基に、コンテンツを選択する選択ステップと、
コンテンツの内容に対する、前記ユーザの嗜好の度合いを示す嗜好値を用いて、選択された複数の前記コンテンツのそれぞれに対する前記ユーザの嗜好の度合いを示すスコアを算出する算出ステップと、
算出された前記コンテンツの前記スコアの高い順に、所定の数の前記コンテンツの録画を予約するための情報を生成する生成ステップと
を含むことを特徴とする情報処理方法。
【請求項５】
ユーザから指定されたキーワードによって、コンテンツ配信情報に含まれるコンテンツに関係付けられた情報を基に、コンテンツを選択する選択ステップと、
コンテンツの内容に対する、前記ユーザの嗜好の度合いを示す嗜好値を用いて、選択された複数の前記コンテンツのそれぞれに対する前記ユーザの嗜好の度合いを示すスコアを算出する算出ステップと、
算出された前記コンテンツの前記スコアの高い順に、所定の数の前記コンテンツの録画を予約するための情報を生成する生成ステップと
を含むことを特徴とする情報処理をコンピュータに実行させるプログラムが記録されている記録媒体。
【請求項６】
ユーザから指定されたキーワードによって、コンテンツ配信情報に含まれるコンテンツに関係付けられた情報を基に、コンテンツを選択する選択ステップと、
コンテンツの内容に対する、前記ユーザの嗜好の度合いを示す嗜好値を用いて、選択された複数の前記コンテンツのそれぞれに対する前記ユーザの嗜好の度合いを示すスコアを算出する算出ステップと、
算出された前記コンテンツの前記スコアの高い順に、所定の数の前記コンテンツの録画を予約するための情報を生成する生成ステップと
をコンピュータに実行させることを特徴とするプログラム。
【手続補正２】
【補正対象書類名】明細書
【補正対象項目名】００１７
【補正方法】変更
【補正の内容】
【００１７】
本発明の記録装置は、ユーザから指定されたキーワードによって、コンテンツ配信情報に含まれるコンテンツに関係付けられた情報を基に、コンテンツを選択する選択手段と、コンテンツの内容に対する、ユーザの嗜好の度合いを示す嗜好値を用いて、選択された複数のコンテンツのそれぞれに対するユーザの嗜好の度合いを示すスコアを算出する算出手段と、算出されたコンテンツのスコアの高い順に、所定の数のコンテンツの録画を予約するための情報を生成する生成手段とを備えることを特徴とする。
【手続補正３】
【補正対象書類名】明細書
【補正対象項目名】００１８
【補正方法】変更
【補正の内容】
【００１８】
記録装置は、コンテンツ配信情報を受信する受信手段をさらに設け、生成手段は、コンテンツ配信情報が更新されるごとに、コンテンツの録画を予約するための情報を生成するようにすることができる。
【手続補正４】
【補正対象書類名】明細書
【補正対象項目名】００１９
【補正方法】変更
【補正の内容】
【００１９】
生成手段は、ユーザによって指定されたコンテンツの録画が予約されている場合、予め定められた所定の数から、ユーザによって指定され、録画が予約されたコンテンツの数を減算した数だけ、コンテンツのスコアの高い順に、選択手段によって選択されたコンテンツの録画を予約するための情報を生成するようにすることができる。
【手続補正５】
【補正対象書類名】明細書
【補正対象項目名】００２０
【補正方法】変更
【補正の内容】
【００２０】
本発明の情報処理方法は、ユーザから指定されたキーワードによって、コンテンツ配信情報に含まれるコンテンツに関係付けられた情報を基に、コンテンツを選択する選択ステップと、コンテンツの内容に対する、ユーザの嗜好の度合いを示す嗜好値を用いて、選択された複数のコンテンツのそれぞれに対するユーザの嗜好の度合いを示すスコアを算出する算出ステップと、算出されたコンテンツのスコアの高い順に、所定の数のコンテンツの録画を予約するための情報を生成する生成ステップとを含むことを特徴とする。
【手続補正６】
【補正対象書類名】明細書
【補正対象項目名】００２１
【補正方法】変更
【補正の内容】
【００２１】
本発明の記録媒体のプログラムは、ユーザから指定されたキーワードによって、コンテンツ配信情報に含まれるコンテンツに関係付けられた情報を基に、コンテンツを選択する選択ステップと、コンテンツの内容に対する、ユーザの嗜好の度合いを示す嗜好値を用いて、選択された複数のコンテンツのそれぞれに対するユーザの嗜好の度合いを示すスコアを算出する算出ステップと、算出されたコンテンツのスコアの高い順に、所定の数のコンテンツの録画を予約するための情報を生成する生成ステップとを含むことを特徴とする。
【手続補正７】
【補正対象書類名】明細書
【補正対象項目名】００２２
【補正方法】変更
【補正の内容】
【００２２】
本発明のプログラムは、ユーザから指定されたキーワードによって、コンテンツ配信情報に含まれるコンテンツに関係付けられた情報を基に、コンテンツを選択する選択ステップと、コンテンツの内容に対する、ユーザの嗜好の度合いを示す嗜好値を用いて、選択された複数のコンテンツのそれぞれに対するユーザの嗜好の度合いを示すスコアを算出する算出ステップと、算出されたコンテンツの前記スコアの高い順に、所定の数のコンテンツの録画を予約するための情報を生成する生成ステップとをコンピュータに実行させることを特徴とする。
【手続補正８】
【補正対象書類名】明細書
【補正対象項目名】００２３
【補正方法】変更
【補正の内容】
【００２３】
本発明の記録装置、情報処理方法、記録媒体、およびプログラムにおいては、ユーザから指定されたキーワードによって、コンテンツ配信情報に含まれるコンテンツに関係付けられた情報を基に、コンテンツが選択され、コンテンツの内容に対する、ユーザの嗜好の度合いを示す嗜好値を用いて、選択された複数のコンテンツのそれぞれに対するユーザの嗜好の度合いを示すスコアが算出され、算出されたコンテンツのスコアの高い順に、所定の数のコンテンツの録画を予約するための情報が生成される。
【手続補正９】
【補正対象書類名】明細書
【補正対象項目名】００３０
【補正方法】変更
【補正の内容】
【００３０】
請求項１に記載の記録装置は、ユーザから指定されたキーワードによって、コンテンツ配信情報に含まれるコンテンツに関係付けられた情報を基に、コンテンツを選択する選択手段（例えば、図５の録画候補選択部９２）と、コンテンツの内容に対する、ユーザの嗜好の度合いを示す嗜好値を用いて、選択された複数のコンテンツのそれぞれに対するユーザの嗜好の度合いを示すスコアを算出する算出手段（例えば、図５のスコア算出部７７）と、算出されたコンテンツのスコアの高い順に、所定の数のコンテンツの録画を予約するための情報を生成する生成手段（例えば、図５の自動録画制御部７３）とを備えることを特徴とする。
【手続補正１０】
【補正対象書類名】明細書
【補正対象項目名】００３１
【補正方法】変更
【補正の内容】
【００３１】
請求項２に記載の記録装置は、コンテンツ配信情報を受信する受信手段（例えば、図５のアナログチューナ３１、デジタルチューナ３３、および通信部４０）をさらに備え、生成手段（例えば、図５の自動録画制御部７３）は、コンテンツ配信情報が更新されるごとに、コンテンツの録画を予約するための情報を生成することを特徴とする。
【手続補正１１】
【補正対象書類名】明細書
【補正対象項目名】００３２
【補正方法】変更
【補正の内容】
【００３２】
請求項３に記載の記録装置は、生成手段（例えば、図５の自動録画制御部７３）は、ユーザによって指定されたコンテンツの録画が予約されている場合、予め定められた所定の数から、ユーザによって指定され、録画が予約されたコンテンツの数を減算した数だけ、コンテンツのスコアの高い順に、選択手段（例えば、図５の録画候補選択部９２）によって選択されたコンテンツの録画を予約するための情報を生成することを特徴とする。
【手続補正１２】
【補正対象書類名】明細書
【補正対象項目名】００３３
【補正方法】変更
【補正の内容】
【００３３】
請求項４に記載の情報処理方法は、ユーザから指定されたキーワードによって、コンテンツ配信情報に含まれるコンテンツに関係付けられた情報を基に、コンテンツを選択する選択ステップ（例えば、図６のステップＳ１６の処理）と、コンテンツの内容に対する、ユーザの嗜好の度合いを示す嗜好値を用いて、選択された複数のコンテンツのそれぞれに対するユーザの嗜好の度合いを示すスコアを算出する算出ステップ（例えば、図６のステップＳ１７の処理）と、算出されたコンテンツのスコアの高い順に、所定の数のコンテンツの録画を予約するための情報を生成する生成ステップ（例えば、図６のステップＳ１８の処理）とを含むことを特徴とする。